(57)【要約】【課題】コンテンツを一元管理しつつ、一元管理しているコンテンツを関連性をもたせて通信端末にて出力できるようにする。【解決手段】情報管理システム１００は、Ｗｅｂサイトから複数のコンテンツデータを取得し記憶するインプットコンテンツサーバ２００と、インプットコンテンツサーバ２００に記憶された複数のコンテンツデータを予め設定されている出力態様になるように加工し複数の出力用コンテンツデータを生成、記憶し、記憶された複数の出力用コンテンツデータ同士を紐づけて通信端末５００に出力するアウトプットコンテンツサーバ３００とを有する。【選択図】図３
2019032786.tif 000002
【特許請求の範囲】
【請求項１】
通信端末に情報を提供する情報提供システムであって、
通信網上のＷｅｂサイト又は通信網上の記憶装置の少なくともいずれかから複数のコンテンツデータを取得する取得手段と、
前記取得手段が取得した複数のコンテンツデータを記憶する第１記憶手段と、
前記第１記憶手段に記憶された複数のコンテンツデータを前記通信端末からの出力態様が予め設定されている出力態様になるように加工し複数の出力用コンテンツデータを生成する生成手段と、
前記生成手段が生成した複数の出力用コンテンツデータを記憶する第２記憶手段と、
前記第２記憶手段に記憶された複数の出力用コンテンツデータ同士を紐づける紐付け手段と、
前記紐付け手段が紐づけた複数の出力用コンテンツデータを前記通信端末にて出力するために出力する出力手段と、
を有する情報提供システム。
【請求項２】
前記予め設定されている出力態様は複数種類あり、
前記生成手段は、各出力用コンテンツデータについて前記予め設定されている複数種類の出力態様のものを生成し、
前記紐付け手段は、前記第２記憶手段に記憶された出力態様が同一種類の前記複数の出力用コンテンツデータ同士を紐づける請求項１に記載の情報提供システム。
【請求項３】
前記第２記憶手段に記憶された出力用コンテンツデータには、当該出力用コンテンツデータの特徴を示すタグが対応付けられ、前記タグは複数のグループにグルーピングされており、
前記紐付け手段は、同一グループのタグが対応付けされている前記複数の出力用コンテンツデータ同士を紐づける請求項１又は２に記載の情報提供システム。
【請求項４】
前記第２記憶手段に記憶される出力用コンテンツデータには、当該出力用コンテンツデータの特徴を示すタグが対応付けられ、前記タグは前記通信端末の通信を基に得られるオーディエンスデータを基に複数のグループにグルーピングされており、
前記紐付け手段は、同一グループのタグが対応付けされている前記複数の出力用コンテンツデータ同士を紐づける請求項１乃至３の何れか１項に記載の情報提供システム。
【請求項５】
前記複数種類の予め設定されている出力態様は、前記通信端末でのタイムラインによる出力態様、通信端末でのＳＮＳの出力態様、通信端末での電子メールの本文中への出力態様、及び通信端末でのアプリケーションプログラムによる出力態様の少なくともいずれかである請求項２に記載の情報提供システム。
【請求項６】
取得手段が、通信網上のＷｅｂサイト又は通信網上の記憶装置の少なくともいずれかから複数のコンテンツデータを取得する取得ステップと、
第１記憶手段が、前記取得ステップで取得した複数のコンテンツデータを記憶する第１記憶ステップと、
生成手段が、前記第１記憶ステップで記憶された複数のコンテンツデータを前記通信端末からの出力態様が予め設定されている出力態様になるように加工し複数の出力用コンテンツデータを生成する生成ステップと、
第２記憶手段が、前記生成ステップで生成した複数の出力用コンテンツデータを記憶する第２記憶ステップと、
紐付け手段が、前記第２記憶ステップで記憶された複数の出力用コンテンツデータ同士を紐づける紐付けステップと、
出力手段が、前記紐付けステップで紐づけた複数の出力用コンテンツデータを前記通信端末にて出力するために出力する出力ステップと、
をコンピュータに実行させるプログラム。
【請求項７】
通信網上のＷｅｂサイト又は通信網上の記憶装置の少なくともいずれかから複数のコンテンツデータを取得する取得ステップと、
前記取得ステップで取得した複数のコンテンツデータを記憶する第１記憶ステップと、
前記第１記憶ステップで記憶された複数のコンテンツデータを前記通信端末からの出力態様が予め設定されている出力態様になるように加工し複数の出力用コンテンツデータを生成する生成ステップと、
前記生成ステップで生成した複数の出力用コンテンツデータを記憶する第２記憶ステップと、
前記第２記憶ステップで記憶された複数の出力用コンテンツデータ同士を紐づける紐付けステップと、
前記紐付けステップで紐づけた複数の出力用コンテンツデータを前記通信端末にて出力するために出力する出力ステップと、
を有する情報提供方法。
【発明の詳細な説明】
【技術分野】
【０００１】
本発明は、ユーザに情報を提供する技術に関する。
【背景技術】
【０００２】
特許文献１に開示の技術では、ユーザが記事を閲覧する際の環境に応じた表示態様で記事を媒体に出力している。
【先行技術文献】
【特許文献】
【０００３】
【特許文献１】特開２００５−３１６８３２号
【発明の概要】
【発明が解決しようとする課題】
【０００４】
特許文献１に開示の技術は、ユーザが記事を閲覧する際の環境に応じた表示態様で記事を媒体に出力しているのに過ぎず、記事を一元管理してユーザに提供するようなものではない。
本発明の目的は、コンテンツを一元管理しつつ、一元管理しているコンテンツを関連性をもたせて通信端末にて出力できるようにすることである。
【課題を解決するための手段】
【０００５】
前記課題を解決するために、本発明の第１の態様は、通信端末に情報を提供する情報提供システムであって、通信網上のＷｅｂサイト又は通信網上の記憶装置の少なくともいずれかから複数のコンテンツデータを取得する取得手段と、前記取得手段が取得した複数のコンテンツデータを記憶する第１記憶手段と、前記第１記憶手段に記憶された複数のコンテンツデータを前記通信端末からの出力態様が予め設定されている出力態様になるように加工し複数の出力用コンテンツデータを生成する生成手段と、前記生成手段が生成した複数の出力用コンテンツデータを記憶する第２記憶手段と、前記第２記憶手段に記憶された複数の出力用コンテンツデータ同士を紐づける紐付け手段と、前記紐付け手段が紐づけた複数の出力用コンテンツデータを前記通信端末にて出力するために出力する出力手段と、を有する情報提供システムである。
【０００６】
本発明の第２の態様では、前記予め設定されている出力態様は複数種類あり、前記生成手段は、各出力用コンテンツデータについて前記予め設定されている複数種類の出力態様のものを生成し、前記紐付け手段は、前記第２記憶手段に記憶された出力態様が同一種類の前記複数の出力用コンテンツデータ同士を紐づけることが好ましい。
【０００７】
本発明の第３の態様では、前記第２記憶手段に記憶された出力用コンテンツデータには、当該出力用コンテンツデータの特徴を示すタグが対応付けられ、前記タグは複数のグループにグルーピングされており、前記紐付け手段は、同一グループのタグが対応付けされている前記複数の出力用コンテンツデータ同士を紐づけることが好ましい。
【０００８】
本発明の第４の態様では、前記第２記憶手段に記憶される出力用コンテンツデータには、当該出力用コンテンツデータの特徴を示すタグが対応付けられ、前記タグは前記通信端末の通信を基に得られるオーディエンスデータを基に複数のグループにグルーピングされており、前記紐付け手段は、同一グループのタグが対応付けされている前記複数の出力用コンテンツデータ同士を紐づけることが好ましい。
【０００９】
本発明の第５の態様では、前記複数種類の予め設定されている出力態様は、前記通信端末でのタイムラインによる出力態様、通信端末でのＳＮＳの出力態様、通信端末での電子メールの本文中への出力態様、及び通信端末でのアプリケーションプログラムによる出力態様の少なくともいずれかであることが好ましい。
【００１０】
前記課題を解決するために、本発明の第６の態様は、取得手段が、通信網上のＷｅｂサイト又は通信網上の記憶装置の少なくともいずれかから複数のコンテンツデータを取得する取得ステップと、第１記憶手段が、前記取得ステップで取得した複数のコンテンツデータを記憶する第１記憶ステップと、生成手段が、前記第１記憶ステップで記憶された複数のコンテンツデータを前記通信端末からの出力態様が予め設定されている出力態様になるように加工し複数の出力用コンテンツデータを生成する生成ステップと、第２記憶手段が、前記生成ステップで生成した複数の出力用コンテンツデータを記憶する第２記憶ステップと、紐付け手段が、前記第２記憶ステップで記憶された複数の出力用コンテンツデータ同士を紐づける紐付けステップと、出力手段が、前記紐付けステップで紐づけた複数の出力用コンテンツデータを前記通信端末にて出力するために出力する出力ステップと、をコンピュータに実行させるプログラムである。
【００１１】
前記課題を解決するために、本発明の第７の態様は、通信網上のＷｅｂサイト又は通信網上の記憶装置の少なくともいずれかから複数のコンテンツデータを取得する取得ステップと、前記取得ステップで取得した複数のコンテンツデータを記憶する第１記憶ステップと、前記第１記憶ステップで記憶された複数のコンテンツデータを前記通信端末からの出力態様が予め設定されている出力態様になるように加工し複数の出力用コンテンツデータを生成する生成ステップと、前記生成ステップで生成した複数の出力用コンテンツデータを記憶する第２記憶ステップと、前記第２記憶ステップで記憶された複数の出力用コンテンツデータ同士を紐づける紐付けステップと、前記紐付けステップで紐づけた複数の出力用コンテンツデータを前記通信端末にて出力するために出力する出力ステップと、を有する情報提供方法である。
【発明の効果】
【００１２】
本発明の第１，６，７の態様によれば、Ｗｅｂサイトに掲載されたコンテンツ又は記憶装置に記憶されたコンテンツを取得保存し、その取得保存したコンテンツから予め設定されている出力態様に合致した出力用コンテンツを生成できるとともに、生成した出力用コンテンツで関連があるもの同士をまとめて通信端末にて出力できる。
【００１３】
これによって、情報提供システムは、Ｗｅｂサイトに掲載されたコンテンツ又は記憶装置に記憶されたコンテンツを一元管理しつつ、一元管理しているコンテンツで関連があるもの同士をまとめて通信端末にて出力できる。
【００１４】
本発明の第２の態様によれば、複数種類の出力態様に応じた出力用コンテンツを生成することによって、複数種類の出力態様それぞれで関連あるコンテンツ同士をまとめて通信端末にて出力できる。
【００１５】
本発明の第３の態様によれば、タグを基準にして関連あるコンテンツ同士をまとめて通信端末にて出力できる。
【００１６】
本発明の第４の態様によれば、オーディエンスデータを基にグルーピングされたタグを基準にして関連あるコンテンツ同士をまとめて通信端末にて出力できる。
【００１７】
本発明の第５の態様によれば、タイムライン、ＳＮＳ、電子メール、アプリケーションプログラムそれぞれに関連ある出力用コンテンツの同士をまとめて出力できる。
【図面の簡単な説明】
【００１８】
【図１】図１は、情報提供システムの構成例を示すブロック図である。
【図２】図２は、通信端末の構成例を示すブロック図である。
【図３】図３は、情報管理システムの構成例を示すブロック図である。
【図４】図４は、インプットコンテンツサーバの構成例を示すブロック図である。
【図５】図５は、インプットコンテンツサーバの処理部の構成例を示すブロック図である。
【図６】図６は、インプットコンテンツサーバの記憶部の構成例を示すブロック図である。
【図７】図７は、記事データデータベースの構成例を示すブロック図である。
【図８】図８は、記事補足データデータベースの構成例を示すブロック図である。
【図９】図９は、アウトプットコンテンツサーバの構成例を示すブロック図である。
【図１０】図１０は、アウトプットコンテンツサーバの処理部の構成例を示すブロック図である。
【図１１】図１１は、アウトプットコンテンツサーバの記憶部の構成例を示すブロック図である。
【図１２】図１２は、管理サーバの構成例を示すブロック図である。
【図１３】図１３は、管理サーバの処理部の構成例を示すブロック図である。
【図１４】図１４は、管理サーバの記憶部の構成例を示すブロック図である。
【図１５】図１５は、記事−タグ対応データベースの構成例を示すブロック図である。
【図１６】図１６は、オーディエンスデータデータベースの構成例を示すブロック図である。
【図１７】図１７は、記事−オーディエンスデータ対応データベースの構成例を示すブロック図である。
【図１８】図１８は、タググルーピングデータベースの構成例を示すブロック図である。
【図１９】図１９は、タイムラインの表示例を示す図である。
【図２０】図２０は、タイムラインの他の表示例を示す図である。
【図２１】図２１は、タイムラインの他の表示例を示す図である。
【発明を実施するための形態】
【００１９】
本発明の実施形態を図面を参照しつつ説明する。
本実施形態では、情報提供システムを挙げている。
【００２０】
（構成）
図１は、情報提供システム１の構成例を示すブロック図である。
図１に示すように、情報提供システム１は、メディアサイトサーバ１１、情報管理システム１００、タイムラインサーバ１２、ＳＮＳ（Social Networking Service）サーバ１３、アプリケーションプログラム（以下、単にアプリという。）用サーバ１４、電子メールサーバ１５、及び複数の通信端末５００を有している。ここで、メディアサイトサーバ１１、情報管理システム１００、タイムラインサーバ１２、ＳＮＳサーバ１３、アプリ用サーバ１４、電子メールサーバ１５、及び各通信端末５００は、通信ネットワーク６００を介して通信可能とされている。通信ネットワーク６００は、例えば、ＴＣＰ／ＩＰ（Transmission Control Protocol/Internet Protocol）などの所定の通信プロトコルに基づいて通信する、インターネットや、公衆回線、専用回線などから構成される。
【００２１】
この情報提供システム１は、情報管理システム１００が、メディアサイトサーバ１１からコンテンツデータとして記事データを取得し、その記事データをタイムライン用、ＳＮＳ用、アプリ用、及び電子メール用にそれぞれ加工した記事データを生成し、生成した記事データであって関連あるもの同士をタイムラインサーバ１２、ＳＮＳサーバ１３、アプリ用サーバ１４、及び電子メールサーバ１５それぞれに送信する。これによって、情報管理システム１００は、メディアサイトに掲載された記事であって関連あるもの同士を、通信端末５００に表示されるタイムライン、ＳＮＳ、アプリ、電子メール（本文）にて表示できるようになる。
通信端末５００は、例えば、パーソナルコンピュータ、携帯電話等である。図２は、通信端末５００の構成例を示すブロック図である。
図２に示すように、通信端末５００は、入力部５０１、表示部５０２、通信部５０３、記憶部５０４、及び処理部５０５を有している。
【００２２】
ここで、表示部５０２は、画像表示機能及び情報入力機能を併せ持っている。表示部５０２は例えばタッチパネルである。通信部５０３は、通信ネットワーク６００を介して、サーバ装置等の外部通信装置とで通信を行うものとして機能する。記憶部５０４は、例えば、ＲＯＭ（Read Only Memory）、ＲＡＭ（Random Access Memory）等である。処理部５０５は、通信端末５００における各種処理を実行する。処理部５０５は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部５０５は、必要に応じて、記憶部５０４に記憶されている各種データや各種プログラムに従って各種処理を実行する。
【００２３】
メディアサイトサーバ１１は、メディアサイトを運営するためのサーバである。メディアサイトとは、例えば、ニュースや専門記事などのコンテンツで構成されるサイトであり、主に広告枠を販売することで売上を立てている。メディアサイトには、ニュース系、テック系、ファッション系等、様々な分野のものがある。
【００２４】
タイムラインサーバ１２は、タイムラインで各種情報をユーザに提供するためのサーバである。ここで、タイムラインとは、情報を時系列に一覧表示することである。
ＳＮＳサーバ１３は、ＳＮＳを運営するためのサーバである。ここで、ＳＮＳとして、例えば、Ｆａｃｅｂｏｏｋ（登録商標）やＴｗｉｔｔｅｒ（登録商標）等がある。本実施形態では、ＳＮＳをＦａｃｅｂｏｏｋ（登録商標）とした例で説明する。
【００２５】
アプリ用サーバ１４は、通信端末５００で起動されるアプリによって各種情報をユーザに提供するためのサーバである。
電子メールサーバ１５は、電子メールの送信サービスを提供するサーバである。
情報管理システム１００は、メディアサイトサーバから取得したコンテンツデータを一元管理しつつ、タイムラインサーバ１２、ＳＮＳサーバ１３、アプリ用サーバ１４、及び電子メールサーバ１５にコンテンツデータを提供する。
【００２６】
図３は、情報管理システム１００の構成例を示すブロック図である。
図３に示すように、情報管理システム１００は、インプットコンテンツサーバ２００、アウトプットコンテンツサーバ３００、及びタグ管理サーバ４００を有している。ここで、インプットコンテンツサーバ２００は、メディアサイトサーバ１１からの記事データを取得し管理する。アウトプットコンテンツサーバ３００は、インプットコンテンツサーバ２００が管理している記事データを加工してタイムライン等で表示する記事データを生成し管理する。タグ管理サーバ４００は、インプットコンテンツサーバ２００及びアウトプットコンテンツサーバ３００が管理する記事データのタグを管理する。具体的には、タグ管理サーバ４００は、タグをグルーピング（グループ化）し管理している。以下に情報管理システム１００を構成するこれらの詳細を説明する。
【００２７】
図４は、インプットコンテンツサーバ２００の構成例を示すブロック図である。
図４に示すように、インプットコンテンツサーバ２００は、通信部２０１、処理部２１０、及び記憶部２２０を有している。
ここで、通信部２０１は、通信ネットワーク６００を介して、メディアサイトサーバ１１、アウトプットコンテンツサーバ３００、及びタグ管理サーバ４００等の他の通信装置との間で通信を行う。記憶部２２０は、ＨＤＤ等であって、各種データや各種プログラムが記憶されている。処理部２１０は、インプットコンテンツサーバ２００における各種処理を実行する。処理部２１０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部２１０は、必要に応じて、記憶部２２０に記憶されている各種データや各種プログラムに従って各種処理を実行する。
【００２８】
図５は、インプットコンテンツサーバ２００の処理部２１０の構成例を示すブロック図である。
図５に示すように、処理部２１０は、コンテンツ取得部２１１、及び記事データ生成部２１２を有している。
【００２９】
ここで、コンテンツ取得部２１１は、自動的に、例えば、予め設定されているタイミング又は予め設定されている取得条件が満たされたタイミングで、メディアサイト（メディアサイトサーバ１１）のコンテンツデータを取得する。例えば、このとき、コンテンツ取得部２１１は、ＡＰＩ（Application Programming Interface）を利用してメディアサイトからコンテンツデータを取得する。記事データ生成部２１２は、コンテンツ取得部２１１が取得したコンテンツデータから記事データの生データ（以下、生記事データともいう。）を生成する。具体的には、記事データ生成部２１２は、コンテンツ取得部２１１が取得した記事データに含まれているタイトル、テキスト（文章）、画像データ等の、メディアサイトにて記事を構成していた要素を抜き出す。さらに、記事データ生成部２１２は、コンテンツ取得部２１１が取得したコンテンツデータのＵＲＬ等を記事データの補足データを抜き出す。そして、記事データ生成部２１２は、生成等した各種データを記憶部２２０に記憶する。
【００３０】
図６は、インプットコンテンツサーバ２００の記憶部２２０の構成例を示すブロック図である。
図６に示すように、記憶部２２０には、記事データデータベース２２１、及び記事補足データデータベース２２２が記憶されている。ここで、記事データデータベース２２１には、記事データ生成部２１２が生成した記事データの主データが記憶されている。また、記事補足データデータベース２２２には、記事データ生成部２１２が生成した記事データの補足データが記憶されている。以下に各データベースの詳細を説明する。
【００３１】
図７は、記事データデータベース２２１の構成例を示すブロック図である。
図７に示すように、記事データデータベース２２１には、記事データ固有の記事データＩＤ、並びに記事データの主データとして、タイトル、テキスト、及び画像等を含み、これらデータが対応付けられている。
【００３２】
図８は、記事補足データデータベース２２２の構成例を示すブロック図である。
図８に示すように、記事補足データデータベース２２２には、記事データＩＤ、並びに記事データの補足データとして、元ＵＲＬ、出典先ＵＲＬ、メディア名、ＰＶ数、いい感じ数、タグ等を含み、これらデータが対応付けられている。ここで、元ＵＲＬは、メディアサイトにおける当該記事のＵＲＬである。また、出典先ＵＲＬは、当該記事が加工されて出典したタイムライン等のサイトページのＵＲＬである。また、メディア名は、メディアサイトのメディア名である。また、ＰＶ数は、当該記事が加工されて出力されたタイムライン等のサイトページにおける当該記事のページビュー数である。また、いい感じ数は、当該記事が加工されて出力されたタイムライン等のサイトページにおいて当該記事近くに設置された「いい感じ」のボタンが押された数である。また、タグは、当該記事の特徴を示すもので、当該記事に対応付けされている情報である。
【００３３】
図９は、アウトプットコンテンツサーバ３００の構成例を示すブロック図である。
図９に示すように、アウトプットコンテンツサーバ３００は、通信部３０１、処理部３１０、及び記憶部３２０を有している。
ここで、通信部３０１は、通信ネットワーク６００を介して、インプットコンテンツサーバ２００、タグ管理サーバ４００、タイムラインサーバ１２、ＳＮＳサーバ１３、アプリ用サーバ１４、電子メールサーバ１５、及び通信端末５００等の他の通信装置との間で通信を行う。記憶部３２０は、ＨＤＤ等であって、各種データや各種プログラムが記憶されている。処理部３１０は、アウトプットコンテンツサーバ３００における各種処理を実行する。処理部３１０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部３１０は、必要に応じて、記憶部３２０に記憶されている各種データや各種プログラムに従って各種処理を実行する。
【００３４】
図１０は、アウトプットコンテンツサーバ３００の処理部３１０の構成例を示すブロック図である。
図１０に示すように、処理部３１０は、タイムラインコンテンツ生成部３１１、ＳＮＳコンテンツ生成部３１２、アプリコンテンツ生成部３１３、電子メールコンテンツ生成部３１４、コンテンツ出力処理部３１５、及びオーディエンスデータ取得部３１６を有している。
【００３５】
ここで、タイムラインコンテンツ生成部３１１は、インプットコンテンツサーバ２００の記事データデータベース２２１に記憶されている生記事データを基に、タイムライン用の記事データを生成する。すなわち、タイムラインコンテンツ生成部３１１は、記事データデータベース２２１に記憶されている生記事データを構成するタイトル、テキスト、画像データ等を使って、通信端末５００にて表示されるタイムラインの表示フォーマット等の予め設定されている出力態様に従った記事データ（以下、タイムライン用記事データともいう。）を生成する。
【００３６】
ＳＮＳコンテンツ生成部３１２は、インプットコンテンツサーバ２００の記事データデータベース２２１に記憶されている生記事データを基に、ＳＮＳ用の記事データを生成する。すなわち、ＳＮＳコンテンツ生成部３１２は、記事データデータベース２２１に記憶されている生記事データを構成するタイトル、テキスト、画像データ等を使って、通信端末５００にて表示されるＳＮＳの表示フォーマット等の予め設定されている出力態様に従った記事データ（以下、ＳＮＳ用記事データともいう。）を生成する。
【００３７】
アプリコンテンツ生成部３１３は、インプットコンテンツサーバ２００の記事データデータベース２２１に記憶されている生記事データを基に、アプリ用の記事データを生成する。すなわち、アプリコンテンツ生成部３１３は、記事データデータベース２２１に記憶されている生記事データを構成するタイトル、テキスト、画像データ等を使って、通信端末５００にて表示されるアプリの表示フォーマット等の予め設定されている出力態様に従った記事データ（以下、アプリ用記事データともいう。）を生成する。
【００３８】
電子メールコンテンツ生成部３１４は、インプットコンテンツサーバ２００の記事データデータベース２２１に記憶されている生記事データを基に、電子メール用の記事データを生成する。すなわち、電子メールコンテンツ生成部３１４は、記事データデータベース２２１に記憶されている生記事データを構成するタイトル、テキスト、画像データ等を使って、通信端末５００にて表示される電子メールの本文の表示フォーマット等の予め設定されている出力態様に従った記事データ（以下、電子メール用記事データともいう。）を生成する。例えば、このとき、電子メールコンテンツ生成部３１４は、ＨＴＭＬ形式で電子メールの本文を生成する。
【００３９】
コンテンツ出力処理部３１５は、通信端末５００にて表示されるタイムライン、ＳＮＳ、アプリ、電子メール（本文）に記事を表示する出力処理を行う。例えば、コンテンツ出力処理部３１５は、ＡＰＩを利用して記事を投稿や表示する。
具体的には、コンテンツ出力処理部３１５は、各種コンテンツ生成部が生成した記事データ（具体的には各コンテンツデータベースに記憶されている記事データ）について出力処理を行う。ここで、コンテンツ出力処理部３１５は、表示要求があったタイミングや予め設定されたタイミング等で出力処理を行う。さらに、コンテンツ出力処理部３１５は、タグ管理サーバ４００のタググルーピングデータベース４２４を参照して、グルーピングされて同一のグループ（以下、タググループともいう。）に属している各タグに対応付けされている記事データ同士を関連付けて出力処理する。例えば、コンテンツ出力処理部３１５は、通信端末５００において、同一タググループの各タグに対応付けされている記事同士が連続して表示されるように出力処理する。
【００４０】
より具体的には、コンテンツ出力処理部３１５は、タイムラインサーバ１２から表示要求があったタイミングや予め設定されたタイミング等で、タイムラインコンテンツ生成部３１１が生成したタイムライン用記事データ（具体的にはタイムラインコンテンツデータベース３２１に記憶されているタイムライン用記事データ、すなわち、出力態様が同一種類のアウトプット用記事データ）であって、同一タググループに属している各タグに対応付けされている記事データ同士を関連付けてタイムラインサーバ１２に送信する。これによって、関連付けられた記事同士が、通信端末５００に表示されたタイムラインにおいて連続して表示されるようになる。
【００４１】
また、コンテンツ出力処理部３１５は、ＳＮＳサーバ１３から表示要求があったタイミングや予め設定されたタイミング等で、ＳＮＳコンテンツ生成部３１２が生成したＳＮＳ用記事データ（具体的にはＳＮＳコンテンツデータベース３２２に記憶されているＳＮＳ用記事データ、すなわち、出力態様が同一種類のアウトプット用記事データ）であって、同一タググループに属している各タグに対応付けされている記事データ同士を関連付けてＳＮＳサーバ１３に送信（例えば投稿）する。これによって、関連付けられた記事同士が、通信端末５００に表示されたＳＮＳにおいて連続して表示されるようになる。
【００４２】
また、コンテンツ出力処理部３１５は、アプリ用サーバ１４から表示要求があったタイミングや予め設定されたタイミング等で、アプリコンテンツ生成部３１３が生成したアプリ用記事データ（具体的にはアプリコンテンツデータベース３２３に記憶されているアプリ用記事データ、すなわち、出力態様が同一種類のアウトプット用記事データ）であって、同一タググループに属している各タグに対応付けされている記事データ同士を関連付けてアプリ用サーバ１４に送信（例えば投稿）する。これによって、関連付けられた記事同士が、通信端末５００に表示されたアプリにおいて連続して表示されるようになる。
【００４３】
また、コンテンツ出力処理部３１５は、電子メールサーバ１５から表示要求があったタイミングや予め設定されたタイミング等で、電子メールコンテンツ生成部３１４が生成した電子メール用記事データ（具体的には電子メールコンテンツデータベース３２４に記憶されている電子メール用記事データ、すなわち、出力態様が同一種類のアウトプット用記事データ）であって、同一タググループに属している各タグに対応付けされている記事データ同士を関連付けた内容を電子メールの本文として電子メールサーバ１５に送信する。これによって、関連付けられた記事同士が、通信端末５００に表示された電子メールにおいて連続して表示されるようになる。
【００４４】
オーディエンスデータ取得部３１６は、オーディエンスデータを取得する。本実施形態では、タイムラインサーバ１２によって提供されるタイムラインに表示された記事を読んだ（記事にアクセスした）ユーザの通信端末５００からオーディエンスデータを取得する。そして、オーディエンスデータ取得部３１６は、その記事の記事ＩＤを取得して、取得した記事ＩＤと、当該記事を読んだユーザの通信端末５００から取得したオーディエンスデータとを対応付て、後述の記事−オーディエンスデータ対応データベース４２３に記憶する。
【００４５】
以下の説明では、タイムラインコンテンツ生成部３１１、ＳＮＳコンテンツ生成部３１２、アプリコンテンツ生成部３１３、及び電子メールコンテンツ生成部３１４を、特定しないで説明する場合には、総称してアウトプット用コンテンツ生成部ともいう。
【００４６】
また、タイムラインコンテンツ生成部３１１、ＳＮＳコンテンツ生成部３１２、アプリコンテンツ生成部３１３、及び電子メールコンテンツ生成部３１４が生成した各記事データを、特定しないで説明する場合には、総称してアウトプット用記事データともいう。
【００４７】
図１１は、アウトプットコンテンツサーバ３００の記憶部３２０の構成例を示すブロック図である。
図１１に示すように、記憶部３２０には、タイムラインコンテンツデータベース３２１、ＳＮＳコンテンツデータベース３２２、アプリコンテンツデータベース３２３、及び電子メールコンテンツデータベース３２４が記憶されている。
【００４８】
ここで、タイムラインコンテンツデータベース３２１には、タイムラインコンテンツ生成部３１１が生成したタイムライン用記事データが記憶されている。また、ＳＮＳコンテンツデータベース３２２には、ＳＮＳコンテンツ生成部３１２が生成したＳＮＳ用記事データが記憶されている。また、アプリコンテンツデータベース３２３には、アプリコンテンツ生成部３１３が生成したアプリ用記事データが記憶されている。また、電子メールコンテンツデータベース３２４には、電子メールコンテンツ生成部３１４が生成した電子メール用記事データが記憶されている。
【００４９】
以下の説明では、タイムラインコンテンツデータベース３２１、ＳＮＳコンテンツデータベース３２２、アプリコンテンツデータベース３２３、及び電子メールコンテンツデータベース３２４を、特定しないで説明する場合には、総称してアウトプット用コンテンツデータベースともいう。
【００５０】
図１２は、タグ管理サーバ４００の構成例を示すブロック図である。
図１２に示すように、タグ管理サーバ４００は、通信部４０１、処理部４１０、及び記憶部４２０を有している。
ここで、通信部４０１は、通信ネットワーク６００を介して、インプットコンテンツサーバ２００やアウトプットコンテンツサーバ３００等の他の通信装置との間で通信を行う。記憶部４２０は、ＨＤＤ等であって、各種データや各種プログラムが記憶されている。処理部４１０は、タグ管理サーバ４００における各種処理を実行する。処理部４１０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部４１０は、必要に応じて、記憶部４２０に記憶されている各種データや各種プログラムに従って各種処理を実行する。
【００５１】
図１３は、タグ管理サーバ４００の処理部４１０の構成例を示すブロック図である。
図１３に示すように、処理部４１０は、タグ管理部４１１、オーディエンスデータ管理部４１２、及びタググルーピング処理部４１３を有している。
ここで、タグ管理部４１１は、記事データに対応付けされているタグを管理する。オーディエンスデータ管理部４１２は、オーディエンスデータを管理する。具体的には、オーディエンスデータ管理部４１２は、アウトプットコンテンツサーバ３００のオーディエンスデータ取得部３１６が取得したオーディエンスデータを管理する。オーディエンスデータとは、例えば、Ｗｅｂサイトの訪問回数やユーザＩＤを保存しておく仕組みであるＣｏｏｋｉｅ(クッキー) のデータを基に、購入履歴や属性データ、位置情報などを組み合わせ、個人そのものは特定しないが、ある嗜好性、属性、行動性等をもつ人を想定するデータである。例えば、Ｗｅｂサイトに広告を表示する際に使用される情報である。
【００５２】
また、タググルーピング処理部４１３は、タグをグルーピングする処理を行う。具体的には、タググルーピング処理部４１３は、オーディエンスデータを基準として、似たタグが同一のタググループに属するようにグルーピングする。より具体的には、タググルーピング処理部４１３は、同じ又は似ているオーディエンスデータに対応付けされているタグを同一のタググループとしてグルーピングする。タググルーピング処理部４１３は、このようなタグのグルーピングによって、当該タグに対応付けられている記事データの紐付け、すなわち、記事データ同士のグルーピングを行う。
【００５３】
図１４は、タグ管理サーバ４００の記憶部４２０の構成例を示すブロック図である。
図１４に示すように、記憶部４２０には、記事−タグ対応データベース４２１、オーディエンスデータデータベース４２２、記事−オーディエンスデータ対応データベース４２３、及びタググルーピングデータベース４２４が記憶されている。ここで、記事−タグ対応データベース４２１には、タグ管理部４１１が管理するタグが記憶されている。また、オーディエンスデータデータベース４２２には、オーディエンスデータ管理部４１２が管理するオーディエンスデータが記憶されている。また、記事−オーディエンスデータ対応データベース４２３には、記事とオーディエンスデータとが対応付けされて記憶されている。また、タググルーピングデータベース４２４には、タググルーピング処理部４１３の処理結果が記憶されており、グルーピングされてタグが記憶されている。以下に各データベースの詳細を説明する。
【００５４】
図１５は、記事−タグ対応データベース４２１の構成例を示すブロック図である。
図１５に示すように、記事−タグ対応データベース４２１は、記事データＩＤ、及びタグ情報を含み、これらデータが対応付けられている。本例では、「○」が対応付けられていることを意味し、「×」が対応付けられていないことを意味する。本例では、例えば、記事データＩＤ１（記事データＩＤ１の記事データ）に、タグ１、タグ２、及びタグ７が対応付けられていることを意味する。また、記事データＩＤ２（記事データＩＤ２の記事データ）に、タグ５、タグ６、タグ７、及びタグ８が対応付けられていることを意味する。
【００５５】
ここで、インプットコンテンツサーバ２００の生記事データと、当該生記事データを基に生成されたタイムライン用記事データ、ＳＮＳ用記事データ、アプリ用記事データ、及び電子メール用記事データは、同一のＩＤに紐づけられており、当該ＩＤが記事データＩＤになる。この記事データＩＤによって、インプットコンテンツサーバ２００の生記事データとタグとが対応付けされ、当該生記事データを基に生成されたタイムライン用記事データ、ＳＮＳ用記事データ、アプリ用記事データ、及び電子メール用記事データそれぞれとタグとが対応付けされる。これによって、インプットコンテンツサーバ２００の生記事データ、当該生記事データを基に生成されたタイムライン用記事データ、ＳＮＳ用記事データ、アプリ用記事データ、及び電子メール用記事データにおいて、同一の記事内容の記事データには、同一のタグが対応付けされる。
【００５６】
例えば、タグの例として、「ファッション」、「大人女性」、「スニーカー」、「バッグ」、「オシャレ」等がある。なお、タグはこれに限定されないことは言うまでもない。
図１６は、オーディエンスデータデータベース４２２の構成例を示すブロック図である。
図１６に示すように、オーディエンスデータデータベース４２２には、オーディエンスデータ固有のオーディエンスデータデータＩＤ、及び各オーディエンスデータデータについての各種情報が記憶されている。例えば、各種情報として、購入履歴、属性データ、位置情報、嗜好性、行動性等が記憶されている。
【００５７】
図１７は、記事−オーディエンスデータ対応データベース４２３の構成例を示すブロック図である。
図１７に示すように、記事−オーディエンスデータ対応データベース４２３は、記事データＩＤ、及びオーディエンスデータデータＩＤを含み、これらデータが対応付けられている。つまり、ユーザによって読まれた記事の記事データＩＤに、当該ユーザのものとなるオーディエンスデータＩＤが対応付けられている。本例では、「○」が対応付けられていることを意味し、「×」が対応付けされていないことを意味する。本例では、例えば、オーディエンスデータデータＩＤ３、オーディエンスデータデータＩＤ４やオーディエンスデータデータＩＤ８が、記事データＩＤ１に対応付けられていることを意味する。すなわち、オーディエンスデータデータＩＤ３、オーディエンスデータデータＩＤ４やオーディエンスデータデータＩＤ８のユーザによって記事データＩＤ１の記事データが読まれたことを意味する。
【００５８】
図１８は、タググルーピングデータベース４２４の構成例を示すブロック図である。
図１８に示すように、タググルーピングデータベース４２４には、タググルーピング処理部４１３の処理結果が記憶されており、各タググループＩＤと各タグが対応付けされて各タグがグルーピングされている。
【００５９】
ここで、タググルーピング処理部４１３は、図１５の記事−タグ対応データベース４２１、図１６のオーディエンスデータデータベース４２２及び図１７の記事−オーディエンスデータ対応データベース４２３を参照し、同じ又は似ているオーディエンスデータのオーディエンスデータＩＤに対応付けられている記事データＩＤに対応付けられているタグを同一のタググループ（グループＩＤ）としてグルーピングする。すなわち例えば、タググルーピング処理部４１３は、まず、図１６のオーディエンスデータデータベース４２２及び図１７の記事−オーディエンスデータ対応データベース４２３を参照し、同じ又は似ているオーディエンスデータのオーディエンスデータＩＤに対応付けられている記事データＩＤを選定する。続いて、タググルーピング処理部４１３は、図１５の記事−タグ対応データベース４２１を参照し、その選定した各記事データＩＤに対応付けられているタグを選定する。そして、タググルーピング処理部４１３は、その選定した複数のタグを同一のタググループ（グループＩＤ）としてグルーピングする。タググルーピング処理部４１３は、このようにして、同じ又は似ているオーディエンスデータに対応付けられているタグを同一のタググループとしてグルーピングする。
【００６０】
例えば、同じ又は似ているオーディエンスデータのオーディエンスデータＩＤに対応付けられている記事データＩＤが３つあり、１つ目の記事データＩＤに対応付けられているタグが「ファッション」であり、２つ目の記事データＩＤに対応付けられているタグが「大人女性」であり、３つ目の記事データＩＤに対応付けられているタグが「バッグ」である場合、タググルーピング処理部４１３は、「ファッション」、「大人女性」、「バッグ」を同一のタググループ（グループＩＤ）としてグルーピングする。
【００６１】
（動作、作用等）
以下に、情報提供システム１における動作、作用等の一例について説明する。
情報提供システム１では、情報管理システム１００が、メディアサイトから記事データを取得し、その取得した記事データからタイムライン等の各アウトプット用記事データを生成する。また、情報管理システム１００では、タグのグルーピングを行う。そして、情報管理システム１００は、グルーピングされたタグの基に記事同士を紐づけて出力処理を行う。具体的には次のような処理内容になる。
【００６２】
（メディアサイトからのコンテンツの取得）
インプットコンテンツサーバ２００では、コンテンツ取得部２１１が、メディアサイトからコンテンツデータを取得する。そして、記事データ生成部２１２が、コンテンツ取得部２１１が取得したコンテンツデータから生記事データを生成し、生成した生記事データ及びその補足データを記事データデータベース２２１及び記事補足データデータベース２２２に記憶する。
【００６３】
（タグのグルーピング）
タグ管理サーバ４００では、タググルーピング処理部４１３が、記事データのタグのグルーピングを行う。
【００６４】
（アウトプット用のコンテンツの生成）
アウトプットコンテンツサーバ３００では、各アウトプット用コンテンツ生成部が、記事データデータベース２２１に記憶されている生記事データを基に、各アウトプット用記事データを生成し、生成した各アウトプット用記事データを各アウトプット用コンテンツデータベースに記憶する。
【００６５】
（コンテンツのアウトプット）
アウトプットコンテンツサーバ３００では、コンテンツ出力処理部３１５が、各アウトプット用コンテンツデータベースに記憶された各アウトプット用記事データを基に出力処理を行う。この出力処理によって、通信端末５００において、関連する記事同士が、タイムライン、ＳＮＳ、アプリ、電子メールにて連続して表示されるようになる。これによって、タイムライン、ＳＮＳ、アプリ、電子メールのユーザに、関連する記事を提供できるようになる。
【００６６】
図１９は、タイムライン１０００の表示例を示す図である。
図１９に示すように、タイムライン１０００に一覧として記事（記事の一部又は記事要約）１１００，１２００，１３００，１４００，１５００が表示される。ここで、各記事１１００，１２００，１３００，１４００，１５００には、画像１１０１，１２０１，１３０１，１４０１，１５０１、タイトル１１０２，１２０２，１３０２，１４０２，１５０２、及びタグ１１０３，１２０３，１３０３，１４０３，１５０３等が含まれる。
【００６７】
このタイムライン１０００では、表示されている記事部分をクリックすると記事本文が表示される。例えば、「ファッション」、「大人女性」、「バック」のタグでグルーピングされている場合、本例のように、「ファッション」１１０３、「大人女性」１２０３、「バッグ」１３０３のタグ付けがされている記事１１００，１２００，１３００が上下に連続して表示されている。
【００６８】
図２０は、タイムライン１０００の表示例を示す図である。
図２０に示すように、タイムライン１０００に一覧として記事（記事の一部又は記事要約）１６００，１７００，１８００，１９００が表示される。この例では、各記事１６００，１７００，１８００，１９００に「いい感じ」１６０４，１７０４，１８０４，１９０４も表示される。本例では、「おしゃれ」のタグでグルーピングされた記事１８００，１９００が上下に連続して表示されている。
【００６９】
図２１は、記事本文２０００の表示例を示す図である。
図１９や図２０の記事部分を画面上でクリックされると、図２１に示すような、クリックされた記事に対応する記事本文２０００が表示される。図中、「・・・」はテキスト（文字）が記載されていることを意味する。また、この例では、記事本文２０００には、「コメント」、「シェア」、「いい感じ」、「閉じる」、「ＰＵＳＨ」等の様々な機能に応じたボタン２００１が配置されている。また、記事本文２０００には、「タイムラインに戻る」ためのボタン２００２がフロートボタンとして配置されている。
【００７０】
（本実施形態における効果）
（１）情報管理システム１００は、メディアサイトから記事データを取得保存し、予め設定されている出力態様に合致した記事データを生成できるとともに、生成した記事データで関連があるもの同士をまとめて通信端末５００にて出力できる。
【００７１】
これによって、情報管理システム１００は、メディアサイトに掲載された記事を一元管理しつつ、一元管理している記事で関連があるもの同士をまとめて通信端末５００に表示されるタイムライン等にて表示できる。
この結果、情報管理システム１００は、様々な形で提供される優良なコンテンツを一元管理でき、さらに、そのような優良なコンテンツを関連性をもたせて通信端末５００にて表示できる。
【００７２】
このようにすることで、タイムライン、ＳＮＳ、アプリ、電子メールのユーザも、優良なコンテンツの提供を受けることができ、さらには、関連性あるコンテンツをまとめたかたちで提供を受けることができる。
【００７３】
（２）情報管理システム１００は、タイムライン、ＳＮＳ等の複数種類の表示態様に応じたアウトプット用記事データを生成することによって、関連ある記事同士をまとめて通信端末５００にてタイムライン、ＳＮＳ等で表示できる。
これによって、情報管理システム１００は、一元管理しているコンテンツを関連性をもたせてタイムライン、ＳＮＳ等の各種媒体を通じて発信できる。
【００７４】
（３）情報管理システム１００は、タグを基準にして関連ある記事同士をまとめて通信端末５００にて表示できる。
（４）情報管理システム１００は、オーディエンスデータを基にグルーピングされたタグを基準にして関連ある記事同士をまとめて通信端末５００にて表示できる。
【００７５】
なお、前述の実施形態の説明では、コンテンツ取得部２１１は、例えば、取得手段を構成する。また、インプットコンテンツサーバ２００の記憶部２２０は、例えば、第１記憶手段を構成する。また、タイムラインコンテンツ生成部３１１、ＳＮＳコンテンツ生成部３１２、アプリコンテンツ生成部３１３、及び電子メールコンテンツ生成部３１４は、例えば、生成手段を構成する。また、アウトプットコンテンツサーバ３００の記憶部３２０は、例えば、第２記憶手段を構成する。また、タグ管理サーバ４００の処理部４１０は、例えば、紐付け手段を構成する。また、コンテンツ出力処理部３１５は、例えば、出力手段を構成する。また、第１記憶手段、第２記憶手段は、実際には同一の記憶手段内において異なる記憶領域として構成されるものであっても良い。
【００７６】
（本実施形態の他の例等）
実施形態の他の例として、アウトプットコンテンツサーバ３００からの出力先のＳＮＳの対象をＴｗｉｔｔｅｒ（登録商標）とすることもできる。また、現存するＳＮＳの他に、今後新たに提供されるＳＮＳにも本実施形態を適用できる。
【００７７】
また、実施形態の他の例として、アウトプットコンテンツサーバ３００からの出力先は、タイムライン、ＳＮＳ、アプリ、電子メールに限定されない。この場合、それに応じて、前述と同様な手順によって、生記事データからアウトプット用記事データの生成等を行う。
【００７８】
また、実施形態の他の例として、Ｆａｃｅｂｏｏｋ（登録商標）のように、同一のアカウントで複数種類のページ（「Ｆａｃｅｂｏｏｋページ」といったようなもの）を持つことができるような場合、アウトプットコンテンツサーバ３００は、各ページで異なる記事を出力させることもできる。例えば、複数種類のページとして、男性向けページ、女性向けページ、若者向けページがある場合、これら各ページそれぞれに異なるタググループを対応付けしておき、アウトプットコンテンツサーバ３００は、各グループのタグに対応付けられている記事を、対応するページにて表示させる。
【００７９】
また、実施形態の他の例として、コンテンツデータは、記事データに限らず、他のコンテンツデータにすることもできる。例えば、動画、写真、商品情報、店舗情報（場所情報）、人物情報、会社情報等にすることもできる。例えば、この場合、主データ（記事データの場合の主記事データに相当）が動画になるとき、コンテンツ取得部２１１は、例えば、元ＵＲＬ、出典先ＵＲＬ、メディア名、再生数、及びタグ等を記事補足データデータベース２２２に記憶する。また、主データが写真になるとき、コンテンツ取得部２１１は、例えば、元ＵＲＬ、出典先ＵＲＬ、メディア名、閲覧数、及びタグ等を記事補足データデータベース２２２に記憶する。また、主データが商品情報になるとき、コンテンツ取得部２１１は、例えば、元ＵＲＬ、出典先ＵＲＬ、メーカ名、購入数、及びタグ等を記事補足データデータベース２２２に記憶する。また、主データが店舗情報（場所情報）になるとき、コンテンツ取得部２１１は、例えば、元ＵＲＬ、及びタグ等を記事補足データデータベース２２２に記憶する。また、主データが人物情報になるとき、コンテンツ取得部２１１は、例えば、元ＵＲＬ、及びタグ等を記事補足データデータベース２２２に記憶する。また、主データが会社情報になるとき、コンテンツ取得部２１１は、例えば、元ＵＲＬ、及びタグ等を記事補足データデータベース２２２に記憶する。
【００８０】
また、実施形態の他の例として、情報提供システム１は、複数のメディアサイトサーバを含むこともできる。この場合、インプットコンテンツサーバ２００は、各メディアサイトサーバからコンテンツデータを取得する。
また、実施形態の他の例として、インプットコンテンツサーバ２００は、通信ネットワーク上の記憶装置からコンテンツデータを取得することもできる。
【００８１】
また、実施形態の他の例として、インプットコンテンツサーバ２００は、通信ネットワーク上のメディアサイトサーバ１１と記憶装置の両方からコンテンツデータを取得することもできる。
また、実施形態の他の例として、メディアサイトサーバ１１や記憶装置から手動でコンテンツデータを取得することもできる。
【００８２】
また、実施形態の他の例として、情報管理システム１００は、インプットコンテンツサーバ２００、アウトプットコンテンツサーバ３００、及びタグ管理サーバ４００を個々に有するのではなく、一体として有することもできる。例えば、このような場合、インプットコンテンツサーバ２００の記憶部２２０とアウトプットコンテンツサーバ３００の記憶部３２０とを一体に構成することもできる。すなわち、第１記憶手段と第２記憶手段とを一体に構成することもできる。
【００８３】
また、実施形態の他の例として、コンテンツ取得部２１１及び記事データ生成部２１２を一体として構成することもできる。この場合、一体として構成された記事データ取得生成部は、メディアサイト（メディアサイトサーバ１１）からコンテンツデータを取得し、取得したコンテンツデータからタイトル、テキスト（文章）、画像データ等を抜き出して記事データを生成する。又は、記事データ取得生成部は、メディアサイト（メディアサイトサーバ１１）からタイトル、テキスト（文章）、画像データ等をダイレクトに抜き出して記事データを生成する。
【００８４】
また、実施形態の他の例として、オーディエンスデータ以外でユーザの特徴を示す指標を使って、タグのグルーピングもできる。また、タグのグルーピングは、初期設定のまま変化しないようにすることもでる。一方、タグは、初期設定で既にグルーピングされていて、途中からオーディエンスデータ等のユーザの特徴を示す指標を使ってグルーピングしタググループの内容を更新することもできる。
【００８５】
また、実施形態の他の例として、情報管理システム１００は、タイムライン、ＳＮＳ、アプリ、電子メールそれぞれに表示された記事について「いい感じ」のボタンを設けることで、ＳＮＳ、アプリ、電子メールそれぞれに表示された記事に対するユーザの反応を得ることもできる。これによって、記事に対する反応も一元管理できる。この場合、例えば、いい感じの反応数は、記事補足データデータベース２２２のいい感じ数で管理する。
【００８６】
また、本実施形態では、取得手段が、通信網上のＷｅｂサイト又は通信網上の記憶装置の少なくともいずれかから複数のコンテンツデータを取得する取得ステップと、第１記憶手段が、前記取得ステップで取得した複数のコンテンツデータを記憶する第１記憶ステップと、生成手段が、前記第１記憶ステップで記憶された複数のコンテンツデータを前記通信端末からの出力態様が予め設定されている出力態様になるように加工し複数の出力用コンテンツデータを生成する生成ステップと、第２記憶手段が、前記生成ステップで生成した複数の出力用コンテンツデータを記憶する第２記憶ステップと、紐付け手段が、前記第２記憶ステップで記憶された複数の出力用コンテンツデータ同士を紐づける紐付けステップと、出力手段が、前記紐付けステップで紐づけた複数の出力用コンテンツデータを前記通信端末にて出力するために出力する出力ステップと、をコンピュータに実行させるプログラムを実現している。
【００８７】
また、本実施形態では、通信網上のＷｅｂサイト又は通信網上の記憶装置の少なくともいずれかから複数のコンテンツデータを取得する取得ステップと、前記取得ステップで取得した複数のコンテンツデータを記憶する第１記憶ステップと、前記第１記憶ステップで記憶された複数のコンテンツデータを前記通信端末からの出力態様が予め設定されている出力態様になるように加工し複数の出力用コンテンツデータを生成する生成ステップと、前記生成ステップで生成した複数の出力用コンテンツデータを記憶する第２記憶ステップと、前記第２記憶ステップで記憶された複数の出力用コンテンツデータ同士を紐づける紐付けステップと、前記紐付けステップで紐づけた複数の出力用コンテンツデータを前記通信端末にて出力するために出力する出力ステップと、を有する情報提供方法を実現している。
【００８８】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００８９】
１  情報提供システム、１１  メディアサイトサーバ、１００  情報管理システム、２００  インプットコンテンツサーバ、２１０  処理部、２１１  コンテンツ取得部、２１２  記事データ生成部、２２０  記憶部、２２１  記事データデータベース、２２２  記事補足データデータベース、３００  アウトプットコンテンツサーバ、３１０  処理部、３１１  タイムラインコンテンツ生成部、３１２  ＳＮＳコンテンツ生成部、３１３  アプリコンテンツ生成部、３１４  電子メールコンテンツ生成部、３１５  コンテンツ出力処理部、３２０  記憶部、３２１  タイムラインコンテンツデータベース、３２２  ＳＮＳコンテンツデータベース、３２３  アプリコンテンツデータベース、３２４  電子メールコンテンツデータベース、４００  タグ管理サーバ、４１０  処理部、４１１  タグ管理部、４１２  オーディエンスデータ管理部、４１３  タググルーピング処理部、４２０  記憶部、５００  通信端末
【図１】
2019032786.tif 000003
【図２】
2019032786.tif 000004
【図３】
2019032786.tif 000005
【図４】
2019032786.tif 000006
【図５】
2019032786.tif 000007
【図６】
2019032786.tif 000008
【図７】
2019032786.tif 000009
【図８】
2019032786.tif 000010
【図９】
2019032786.tif 000011
【図１０】
2019032786.tif 000012
【図１１】
2019032786.tif 000013
【図１２】
2019032786.tif 000014
【図１３】
2019032786.tif 000015
【図１４】
2019032786.tif 000016
【図１５】
2019032786.tif 000017
【図１６】
2019032786.tif 000018
【図１７】
2019032786.tif 000019
【図１８】
2019032786.tif 000020
【図１９】
2019032786.tif 000021
【図２０】
2019032786.tif 000022
【図２１】
2019032786.tif 000023